(57)【特許請求の範囲】
【請求項１】
上りリンク電力制御のための方法であって、
ユーザ装置（ＵＥ）で、コンポーネント・キャリア・リストを受信する受信ステップであり、前記コンポーネント・キャリア・リストは、複数のコンポーネント・キャリアを、各コンポーネント・キャリア（ＣＣ）の伝送ノードの地理的位置と、各ＣＣがその中で通信するように構成された周波数バンドとに基づいてグループ分けするために、進化ノードＢ（ｅＮｏｄｅＢ）で編集される、受信ステップと、
前記ＵＥで、パスロス推定を実行する対象となる推定ＣＣを前記コンポーネント・キャリア・リストから選択するステップと、
前記ＵＥで、前記ＣＣリスト中の少なくとも１つのＣＣに対する上りリンク電力制御のために使用されるパスロス推定を、前記推定ＣＣの前記パスロス推定に基づいて推定するステップと、を備える方法。
【請求項２】
請求項１に記載の方法であって、
前記ＵＥから前記ｅＮｏｄｅＢへ、複数のコンポーネント・キャリアのための干渉インジケータメッセージを送信するステップと、
前記ＵＥで、前記ｅＮｏｄｅＢから、前記コンポーネント・キャリア・リスト内の選択ＣＣに対応する干渉タグを受信するステップと、をさらに備え、前記選択ＣＣは、前記干渉インジケータメッセージ内の干渉情報に従って、前記ｅＮｏｄｅＢによって前記干渉タグでラベル付けされており、前記の、推定ＣＣを前記ＵＥで選択するステップはさらに、前記干渉タグに基づいて前記推定ＣＣを選択するステップを含む、方法。
【請求項３】
請求項２に記載の方法であって、前記干渉インジケータメッセージはチャネル品質インジケータ（ＣＱＩ）測定を含み、該ＣＱＩ測定はさらに、
信号品質情報と、
信号対干渉プラス雑音（ＳＩＮＲ）比と、
少なくとも１つの参照信号受信電力（ＲＳＲＰ）測定と、
少なくとも１つの参照信号受信品質（ＲＳＲＱ）測定と、
の少なくとも１つを含む、方法。
【請求項４】
請求項２および３のいずれかに記載の方法であって、前記ＵＥによって受信された前記コンポーネント・キャリア・リスト内の前記選択ＣＣは、
前記選択ＣＣがタイプ１ＣＣクラスに属することを示す前記干渉タグであり、前記タイプ１ＣＣクラスにおいて、選択ＣＣに対応する干渉情報は、干渉レベルが所定の閾値よりも低いことを示し、前記タイプ１ＣＣクラスは、前記所定の閾値よりも低い対応干渉レベルを有するＣＣを含むように定義されている、前記干渉タグを用いて、さもなければ、
前記選択ＣＣがタイプ２ＣＣクラスに属することを示す前記干渉タグであり、前記タイプ２ＣＣクラスにおいて、前記干渉レベルは、前記所定の閾値よりも低くなく、前記タイプ２ＣＣクラスは、前記所定の閾値よりも低くない対応干渉レベルを有するＣＣを含むように定義されている、前記干渉タグを用いて、
前記ｅＮｏｄｅＢによってラベル付けされている、方法。
【請求項５】
請求項４に記載の方法であって、前記の、前記ＵＥで、そのＣＣ上で前記パスロス推定を実行するための前記推定ＣＣを前記コンポーネント・キャリア・リストから選択するステップはさらに、
上りリンク情報を伝送するために選択されたＣＣであり、そのＣＣにおいて前記ＵＥのための主サービング・セル（ＰＣｅｌｌ）が構成されている、ＣＣを含むＣＣリストから前記推定ＣＣを選択するステップと、
前記タイプ１ＣＣクラスの少なくとも１つのＣＣが活性化されている一組の活性化タイプ１ＣＣから前記推定ＣＣをランダムに選択するステップと、
前記一組の活性化タイプ１ＣＣが複数のＣＣを含む場合に、最も小さいＣＣインデックス値を持っているとして前記推定ＣＣを選択するステップと、
前記タイプ１ＣＣクラスのＣＣで活性化もされているＣＣが存在しない場合に、そのＰＣｅｌｌのために前記ＵＥが構成されているＰＣｅｌｌに関連付けられているＣＣであるとして前記推定ＣＣを選択するステップと、
の少なくとも１つを含む、方法。
【請求項６】
請求項４に記載の方法であって、前記推定ＣＣについての前記パスロス推定が、
前記推定ＣＣのための下りリンク上の複数のＲＳＲＰ測定を平均するステップであり、前記推定ＣＣは活性化されたタイプ１ＣＣである、平均ステップと、
複数の下りリンクＲＳＲＰ測定の平均化を通して前記ＵＥによって取得されたベースレベル値をＰＣｅｌｌに追加するステップであって、前記ＵＥは、前記ＰＣｅｌｌに関連付けられたＣＣが前記推定ＣＣとして選択された場合に、推定パスロスオフセットパラメータ値と一緒に構成されている、追加するステップと、
の少なくとも１つによって実行される、方法。
【請求項７】
請求項１に記載の方法であって、前記ＵＥで、前記ｅＮｏｄｅＢから、２つのＣＣ上のそれぞれの通信の間のパスロス差を補償するように構成された推定パスロスオフセットパラメータであり、前記パスロス差は、前記それぞれの通信のための周波数バンドにおける差と、与えられた伝搬環境と、の少なくとも１つのために生じる、推定パスロスオフセットパラメータを受信するステップをさらに備える方法。
【請求項８】
ユーザ装置（ＵＥ）で動作し、ＣＣリストを進化ノードＢ（ｅＮｏｄｅＢ）から受信するように構成された受信モジュールであり、前記ＣＣリストは、同じ周波数バンドにおいて通信し、また、同様の地理的伝送位置から下りチャネル上で伝送するように構成された一組のＣＣを含む、受信モジュールと、
前記ＵＥで動作し、前記受信モジュールと通信している選択モジュールであり、前記ＣＣリストから、その上でパスロス推定を実行する推定ＣＣを選択するように構成された選択モジュールと、
前記選択モジュールと通信している推定モジュールであり、前記選択モジュールによって選択された前記推定ＣＣ上で前記パスロス推定を実行し、前記推定ＣＣの前記パスロス推定に基づいて前記ＣＣリスト中の少なくとも１つのＣＣのための上りリンク電力制御のために使用される１つのパスロス推定を決定するように構成された推定モジュールと、
を備える上りリンク電力制御デバイス。
【請求項９】
請求項８に記載のデバイスであって、ユーザ装置（ＵＥ）で動作する干渉モジュールをさらに備え、
該干渉モジュールは、複数のコンポーネント・キャリア（ＣＣ）のための干渉インジケータメッセージを生成し、前記干渉インジケータメッセージを進化ノードＢ（ｅＮｏｄｅＢ）に送信するように構成され、
前記受信モジュールはさらに、前記コンポーネント・キャリア・リスト内の選択ＣＣのための干渉タグを受信するように構成され、前記選択ＣＣは前記ｅＮｏｄｅＢによって、前記干渉インジケータメッセージに従って前記干渉タグでラベル付けされ、
前記選択モジュールはさらに、前記ＣＣリストから、前記干渉タグに基づいて推定ＣＣを選択するように構成された、デバイス。
【請求項１０】
請求項９に記載のデバイスであって、前記干渉インジケータメッセージは、チャネル品質インジケータ（ＣＱＩ）を含み、前記ＣＱＩの測定はさらに、
信号品質情報と、
信号対干渉プラス雑音（ＳＩＮＲ）比と、
少なくとも１つの参照信号受信電力（ＲＳＲＰ）測定と、
少なくとも１つの参照信号受信品質（ＲＳＲＱ）測定と、
の少なくとも１つを含む、デバイス。
【請求項１１】
請求項９又は１０に記載のデバイスであって、
前記干渉タグは、前記選択ＣＣが、タイプ１ＣＣクラスとタイプ２ＣＣクラスとのいずれか１つに属することを示し、前記タイプ１ＣＣクラスは、所定の閾値より低い対応干渉レベルを有するＣＣを含むように定義され、前記タイプ２ＣＣクラスは、前記所定の閾値より低くない対応干渉レベルを有するＣＣを含むように定義され、
前記選択モジュールはさらに、前記推定ＣＣをＣＣリストから選択するように構成され、前記推定ＣＣは、
上りリンク情報を伝送するために選択され、そのＣＣにおいて前記ＵＥのための主サービング・セル（ＰＣｅｌｌ）が構成されるＣＣと、
前記タイプ１ＣＣクラスの少なくとも１つのＣＣが活性化されている場合に、一組の活性化タイプ１ＣＣからランダムに選択されるＣＣと、
前記一組の活性化タイプ１ＣＣが複数のＣＣを含む場合に、最小のＣＣインデックス値を有するＣＣと、
前記タイプ１ＣＣクラスのＣＣで活性化もされているＣＣが存在しない場合に、そのＰＣｅｌｌのために前記ＵＥが構成されている前記ＰＣｅｌｌに関連付けられたＣＣと、
の１つである、デバイス。
【請求項１２】
請求項１１に記載のデバイスであって、前記推定モジュールは、前記ＵＥで、前記推定ＣＣ上の前記パスロス推定を、
前記推定ＣＣの下りリンクチャネル上の複数のＲＳＲＰ測定を平均することにより、ここで、前記推定ＣＣは活性化されたタイプ１ＣＣである、と、
前記ｅＮｏｄｅＢから受信したパスロス差パラメータと一緒に、複数の下りリンクＲＳＲＰ測定のための平均値を推定ＣＣに加えることにより、ここで、前記推定ＣＣはまた、そのＰＣｅｌｌのために前記ＵＥが構成されているＰＣｅｌｌに関連付けられている、と、
の少なくとも１つにより実行するように構成された、デバイス。
【請求項１３】
請求項８に記載のデバイスであって、抽出モジュールをさらに備え、該抽出モジュールは、パスロス差パラメータを抽出するように構成され、ｅＮｏｄｅＢから前記受信モジュールによって、前記パスロス差パラメータは、第１のシナリオと第２のシナリオとの少なくとも１つのための２つのＣＣ間のパスロスにおける差を提供するように構成され、前記第１のシナリオによれば、前記２つのＣＣの第１のＣＣは第１の周波数バンドで動作し、前記２つのＣＣの第２のＣＣは第２の周波数バンドで動作し、前記第２のシナリオによれば、前記差は、与えられた伝搬環境を説明する、デバイス。
【請求項１４】
ユーザ装置（ＵＥ）における上りリンク電力制御のためのシステムであって、
前記ＵＥで、ＣＣリストを、進化ノードＢ（ｅＮｏｄｅＢ）から受信するための手段であり、前記ＣＣリストは、同じ周波数バンド内で通信し、同様の地理的伝送位置から下りリンクチャネル上で伝送するように構成された一組のＣＣを含む、手段と、
前記ＵＥで、その上でパスロス推定を実行するための推定ＣＣを前記ＣＣリストから選択するための手段と、
前記ＣＣリストから選択された推定ＣＣ上のパスロス推定を実行するための手段と、
前記ＵＥで、前記推定ＣＣの前記パスロス推定に基づいて、前記ＣＣリスト中の少なくとも１つのＣＣのための上りリンク電力制御のために使用される１つのパスロス推定を推定するための手段と、
を備えるシステム。
【請求項１５】
請求項１４に記載のシステムであって、
前記ＵＥから、進化ノードＢ（ｅＮｏｄｅＢ）へ、前記ＵＥに関連付けられた複数のコンポーネント・キャリア（ＣＣ）のために生成された干渉インジケータメッセージを送信するための手段と、
前記ＵＥで、前記コンポーネント・キャリア・リスト内の選択ＣＣのための前記ｅＮｏｄｅＢから受信した干渉タグを識別するための手段であり、前記選択ＣＣは、前記干渉インジケータメッセージ内の前記選択ＣＣに関する情報に基づいて前記ｅＮｏｄｅＢによってラベル付けされる、手段と、をさらに備え、
前記推定ＣＣを選択するための手段は、前記干渉タグに基づいて前記推定ＣＣを選択する手段をさらに含む、システム。
【請求項１６】
請求項１５に記載のシステムであって、前記選択ＣＣが、タイプ１ＣＣクラスとタイプ２ＣＣクラスとの１つに属することを決定するために前記干渉タグを解析するための手段をさらに備え、前記タイプ１ＣＣクラスは、対応する干渉レベルが所定の閾値よりも低いＣＣを含むように定義され、前記タイプ２ＣＣクラスは、対応する干渉レベルが所定の閾値よりも低くないＣＣを含むように定義される、システム。
【請求項１７】
請求項１６に記載のシステムであって、前記ＣＣリストから前記推定ＣＣを選択するための手段をさらに備え、前記推定ＣＣは、
上りリンク情報を伝送するために選択され、そのＣＣにおいて前記ＵＥのための主サービング・セル（ＰＣｅｌｌ）が構成されるＣＣと、
前記タイプ１ＣＣクラスの少なくとも１つのＣＣが活性化されている場合に、一組の活性化タイプ１ＣＣからランダムに選択されるＣＣと、
前記一組の活性化タイプ１ＣＣが複数のＣＣを含む場合に、最小のＣＣインデックス値を有するＣＣと、
前記タイプ１ＣＣクラスのＣＣで活性化もされているＣＣが存在しない場合に、そのＰＣｅｌｌのために前記ＵＥが構成されている前記ＰＣｅｌｌに関連付けられたＣＣと、
の１つである、システム。
【請求項１８】
請求項１４乃至１６のいずれかに記載のシステムであって、前記推定ＣＣ上でパスロス推定を実行するための手段が、第１のアプローチと第２のアプローチの少なくとも１つをさらに含み、
前記第１のアプローチはさらに、前記推定ＣＣのための下りリンクチャネル上の複数のＲＳＲＰ測定を平均することを含み、前記推定ＣＣは活性化されたタイプ１ＣＣであり、
前記第２のアプローチはさらに、複数の下りリンクＲＳＲＰ測定の平均をＰＣｅｌｌに加えることを含み、前記ＵＥは、前記ＰＣｅｌｌに関連付けられたＣＣが前記推定ＣＣとして選択された場合に、推定パスロス差パラメータ値と一緒に構成されている、システム。
【請求項１９】
請求項１４乃至１６のいずれかに記載のシステムであって、前記の、前記推定ＣＣ上のパスロス推定を実行するための手段は、前記推定ＣＣに対応するチャネル品質インジケータ（ＣＱＩ）を解析するための手段をさらに含み、前記ＣＱＩの測定は、信号品質情報と、信号対干渉プラス雑音（ＳＩＮＲ）比と、少なくとも１つの参照信号受信電力（ＲＳＲＰ）測定と、少なくとも１つの参照信号受信品質（ＲＳＲＱ）測定と、の少なくとも１つを含む、システム。
【請求項２０】
請求項１４に記載のシステムであって、前記ｅＮｏｄｅＢから受信したパスロス差パラメータに従ってパスロス推定を計算するための手段をさらに備え、前記パスロス差パラメータは、第１のシナリオと第２のシナリオとの少なくとも１つのための、前記推定ＣＣと第２のＣＣとの間のパスロスにおける差を提供し、前記第１のシナリオによれば、前記推定ＣＣと前記第２のＣＣは異なる周波数バンドにおいて動作し、前記第２のシナリオによれば、前記差は与えられた伝搬環境を説明する、システム。
【発明の詳細な説明】
【技術分野】
【０００１】
本特許出願は、キャリア・アグリゲーション環境における上りリンク電力制御のためのパスロス推定に関する。
【背景技術】
【０００２】
無線通信デバイスは、干渉の可能性を低減するために、また、バッテリ電力を節約するために、上りリンク伝送時の電力を制御する必要がある。しばしば、上りリンク伝送のために必要な電力は伝搬距離に依存する。伝搬距離に加えて、伝送の頻度、チャネル干渉、および伝搬環境が、成功し信頼性のある上りリンク伝送のために必要な電力にとって、重要な貢献をする。
【０００３】
第三世代パートナーシッププロジェクト（３ＧＰＰ）ロング・ターム・エボリューション（ＬＴＥ）仕様を含む様々なワイヤレス規格が、電力制御の問題に対処するために、閉ループおよび開ループの両方の仕組みを用いている。閉ループの仕組みにおいては、進化ノードＢ（evolved  Node  B）（ｅＮｏｄｅＢ）は、明示的な電力制御コマンドをワイヤレス通信デバイス／ユーザ装置（ＵＥ）に通信することにより上りリンク伝送電力を直接的に制御する。開ループの仕組みにおいては、上りリンク伝送電力の決定は、少なくとも部分的には、下りリンク伝送パスロスの測定から導出される推定を頼りにしている。
【０００４】
ますます能力が向上しているＵＥの数がますます増加しているという環境において、電力制御のための開ループおよび閉ループの仕組みが用いられている。オーディオビジュアルのプレゼン表示能力、画像、ゲーム、テレビ、映画、等に関する情報の送受信能力、等のこれらの能力は、ワイヤレス通信を行うことのできる更なる周波数範囲という観点での更なる帯域幅に対する必要性と、その帯域幅のより効率的な利用に対する必要性と、両方の必要性を増加させている。
【０００５】
これらの必要性に対応するために、ワイヤレス通信規格は、帯域を増やすために、キャリアアグリゲーション（carrier  aggregation）等の技術に頼るようになってきており、その帯域幅が使われる際の効率を改善するために、多入力多出力（ＭＩＭＯ）や異機種ネットワークに関連する技術に頼るようになってきている。しかしながら、これらの技術は、タイミングアドバンス（timing  advances）および開ループの仕組みに頼る電力制御に対するアプローチを複雑にする。
【図面の簡単な説明】
【０００６】
本発明の特徴および利点が、添付図面とともに、以下に続く詳細な説明から、明らかになるであろう。添付図面および詳細な説明は一緒になって、例として本発明の特徴を示す。
【図１ａ】一例に従った、複数の隣接コンポーネント・キャリアを示すブロック図である。
【図１ｂ】一例に従った、複数の非隣接コンポーネント・キャリアおよびコンポーネント・キャリアが異なる周波数帯に存在するポテンシャルを示すブロック図である。
【図２】ＯＦＤＭネットワークにおいて利用可能とされた伝送リソースの概略説明である。
【図３】一例に従った、周波数選択性リピータを使用する通信システムを示すブロック図である。
【図４】一例に従った、周波数選択性リモート無線ヘッドを使用する通信システムを示すブロック図である。
【図５】一例に従った、複数の調整マルチポイント基地局を使用する通信システムを示すブロック図である。
【図６ａ】一例に従った、上りリンク送信電力を決定する必要のあるユーザ装置のために異機種ネットワークにおいてキャリア・アグリゲーションを適用する通信システムを示すブロック図である。
【図６ｂ】一例に従った、さまざまな、進化ノードＢ、ユーザ装置、コンポーネント・キャリア、伝送周波数、周波数帯、およびセルタイプの間の関係を示す表である。
【図７ａ】一例に従った、上りリンク伝送を制御するためにコンポーネント・キャリア・リストおよび他の対策を使用するための処理を描いたフローチャートである。
【図７ｂ】一例に従った、上りリンク伝送を制御するためにコンポーネント・キャリア・リストを生成し通信するための処理を描いたフローチャートである。
【図８ａ】一例に従った、上りリンク電力を制御するために、ＵＥで受信したコンポーネント・キャリア・リストを使用するためのフローチャートである。
【図８ｂ】一例に従った、パスロス差パラメータ上りリンク電力制御を利用するためのフローチャートである。
【図９】一例に従った、上りリンク電力制御のためにコンポーネント・キャリア・リストを生成し通信するための一般化された処理のためのフローチャートである。
【図１０】さまざまな例において、上りリンク電力制御において補助するように構成されたＮｏｄｅＢデバイスおよびＵＥで動作するさまざまなモジュールを示すブロック図である。
【図１１】一例に従った、上りリンク電力制御のためにコンポーネント・キャリア・リストを生成し通信するための一般化された処理のためのフローチャートである。
【図１２】一例に従った、ＵＥのブロック図を示すものである。  説明される典型的な実施形態が参照されるであろう。そして、説明のため特定の言語が使用されるであろう。しかしながら、それによって、本発明の範囲を制限することを意図するものでないことが理解されるである。
【発明を実施するための形態】
【０００７】
本発明を開示し説明する前に、理解されるべきは、関連分野における当業者であれば認識するであろうが、本発明は特定の構造、プロセスステップ、あるいは明細書内で開示される材料に限定されるものではなく、それらの均等物にまで拡張される。本明細書において用いられる用語は、特定の実施形態を説明するためだけに使用されものであり、限定することを意図するものではないことも理解されるべきである。
【０００８】
定義
本明細書で使用されるように、用語「実質上」は、動作、特徴、プロパティ、状態、構造、項目、または結果が、完全な、またはほぼ完全な程度または度合を指す。例えば、「実質上」囲われた物は、その物が、完全に囲われているか、またはほぼ完全に囲われていることを意味する。絶対的な完全さからの逸脱の正確な許容程度は、ある場合においては、特定の文脈に依存する。しかしながら、一般的に、完全の近さとは、あたかも絶対的全体的完了が得られるかのような同じ全体的結果を持つ。「実質上」の使用は、動作、特徴、プロパティ、状態、構造、項目、または結果の完全な、または完全に近い欠如に言及する否定的な意味合いで使用されるときにも等しくあてはまる。
【０００９】
例となる実施形態
技術的実施形態の初期の概要が以下で提供され、次に、特定の技術的実施形態がさらに詳細にのちに説明される。この初期の概要は、より素早く技術を理解することにおいて読者を手助けすることを意図したものであり、特許請求の範囲の主題の範囲を限定することを意図するものではない。以下の定義は、以下で説明される概要および実施形態を明確にするために提供される。
【００１０】
図１ａは、連続するキャリアのキャリア・アグリゲーションの一例を示している。キャリア・アグリゲーションは、ワイヤレスネットワークを横断して通信できるデータ量を増やすために帯域幅を増やすための重要な技術であり、電力制御にとって重要な影響を与える。例では、周波数帯に沿って３つのキャリアが連続的に位置している。各キャリアは、電波でデータを通信するために使用される。各キャリアは、コンポーネント・キャリアと称されることができる。連続的なタイプのシステムにおいては、コンポーネント・キャリアは、互いに隣り合うように位置しており、典型的には、単一の周波数帯の中に位置している。周波数帯は、パスロスおよびマルチパス特性等について類似の伝搬特性を持つ、電磁気的スペクトラムにおけるある範囲の周波数から構成される。
【００１１】
選択された周波数帯は、ワイヤレス電話およびワイヤレスデータ伝送等のワイヤレス通信に使用するために指定される。周波数帯のある部分はワイヤレス・サービス・プロバイダによって所有またはリースされることができる。各隣接コンポーネント・キャリアは、同じ周波数帯、または、異なる周波数帯を持つことができる。周波数帯は、無線周波数帯の選択された一部分であり、その周波数帯上で無線通信を行うことができる。ワイヤレス電話は伝統的に単一の周波数帯内で行われてきた。同じ周波数帯内に位置する（すなわち、実質上隣接する）コンポーネント・キャリアは、類似するパスロスおよび他の伝搬特性を持つことができる。
【００１２】
コンポーネント・キャリアをアグリゲート（集計）することにより、各コンポーネント・キャリアの帯域幅は合わされて、全体の利用可能な総帯域幅が増加する。利用可能な総帯域幅が増加するにつれて、より大きいデータ負荷が収容でき、スピードが維持または向上し、サービス品質が維持または向上する。しかしながら、無線周波数スペクトラムの連続する部分から、追加のコンポーネント・キャリアとして提供される利用可能な隣接する帯域幅を見つけられないことが多い。
【００１３】
ワイアレス電話のために現在利用可能な、既存のスペクトラム割当てポリシーと比較的狭い周波数帯とは、無線周波数スペクトラムの連続する部分を割り当てて大きな帯域幅を実現することを難しくしている。このことは、ワイヤレス通信システムに対するますます増える需要を満たすために、もっともっと多くのコンポーネント・キャリアが必要とされるに従って、特にあてはまる。従って、キャリア・コンポーネントは、周波数スペクトラムの非連続部分からアグリゲートされなければならない。
【００１４】
図１ｂは、非連続コンポーネント・キャリアのキャリア・アグリゲーションの一例を示している。非連続コンポーネント・キャリアは、周波数範囲に沿って離すことができる。コンポーネント・キャリアは、異なる周波数帯に位置することすら可能である。例えば、限定するものではないが、図１ｂに描かれているように、キャリア１は帯域ｘの中にあることができる。一方、キャリア２およびキャリア３は、帯域ｙの中にあることができる。これらのキャリアは異なる帯域にあるので、これらのキャリアの伝搬特性は大きく変わり得、その結果、マルチパス特性が異なり、パスロス値が著しく異なり得る。
【００１５】
例えば、２つのコンポーネント・キャリアの間の自由空間パスロス差の値は、受信機で１ｄＢから１４ｄＢ、またはそれ以上、異なり得る。この差はまた、伝搬環境によって大きく悪化させられ得る。先程の例のパスロス差の値は、郊外および都市の環境において２５ｄＢまたはそれ以上に上昇し得る。従って、パスロスは明らかに、周波数帯と伝搬環境の両方の関数である。マルチパス特性も、異なる周波数帯のコンポーネント・キャリア間で大きく異なるであろう。そして、これらの特性における差はまた、伝搬環境によって影響されるであろう。さらに、例えばキャリア２とキャリア３のような同じ帯域内のコンポーネント・キャリアのパスロスおよび他の伝搬特性も、２つのコンポーネント・キャリア間の周波数範囲のサイズに応じて、著しく違い得る。
【００１６】
ワイヤレス通信環境において、ユーザ装置（ＵＥ）等のワイヤレスデバイスは、基地局と通信するように構成することができる。基地局は、必ずしもそうである必要はないが、進化したＮｏｄｅＢ（ｅＮｏｄｅＢまたはｅＮＢ）または基地局であり得る。ＵＥは、図１ａおよび図１ｂにおいて描かれたような、選択されたコンポーネント・キャリアを介して、基地局との通信を開始することができる。ｅＮｏｄｅＢとの通信のために選択されたコンポーネント・キャリアは、第１のコンポーネント・キャリアとして指定されることができる。ＵＥにおける各コンポーネント・キャリアは、２００９年の第４四半期にリリースされた３ＧＰＰ  ＬＴＥリリース９規格によって定義されているように、ＵＥにおけるサービングセルとして現れることができる。全制御チャネル／信号を用いてｅＮｏｄｅＢによってＵＥに対して構成されたコンポーネント・キャリアに関連付けられたサービングセルはまた、主サービングセル（ＰＣｅｌｌ）とも称されることができる。
【００１７】
３ＧＰＰ  ＬＴＥ規格の用語が本明細書を通して使用されるが、それは、限定することを意図するものではない。ｅＮｏｄｅＢと通信するように構成されたＵＥは、特にそうでないとの記載のない限り、基地局と通信するように構成された汎用の無線周波数移動通信デバイスと同義語であると考えられる。同様のコメントは、明細書内で使用されるＰＣｅｌｌおよび他の用語についても指摘することができる。
【００１８】
ＰＣｅｌｌは一般的にＵＥのために設定される最初のコンポーネント・キャリアに係わっている。しかしながら、いかなるコンポーネント・キャリアもＰＣｅｌｌとして指定されることができる。もし、所望の帯域幅、サービス品質、または他の所望の機能を提供するために追加のコンポーネント・キャリアがＵＥにおいて必要であるならば、追加のコンポーネント・キャリアが、無線リソース制御（ＲＲＣ）シグナリングを介して、ｅＮｏｄｅＢによってＵＥに対して割り当てられることができる。各追加のコンポーネント・キャリアは、ＵＥにおける従サービングセル（ＳＣｅｌｌ）を用いて構成され、関連付けられることができる。一実施形態において、従サービング・セルは、現在のＬＴＥリリース８／９／１０仕様書に基づきＵＥに対する物理上りリンク制御チャネル（ＰＵＣＣＨ）伝送を持たないことができる。
【００１９】
追加のコンポーネント・キャリアは、ＰＣｅｌｌの第１の選択されたコンポーネント・キャリアに対して、電磁気スペクトラムの連続する部分からであることができる。しかし、追加のコンポーネント・キャリアはまた、第１の選択されたコンポーネント・キャリアに対して、および／または、お互いに対して、電磁気スペクトラムの非連続の部分から来ることもできる。さらに、ＰＣｅｌｌおよびＳｃｅｌｌフォーメーションにおいて使用されるコンポーネント・キャリアは、異なる周波数帯に関することができる（セルは、上りリンクまたは下りリンク伝送のためだけに構成されたコンポーネント・キャリアを含むことができるという理解のもとで、以降、セルが参照される）。
【００２０】
キャリア・アグリゲーション技術によって引き起こされた、異なる周波数帯における異なるコンポーネント・キャリア上での上りリンク伝送に対する可能性は、開ループ電力制御の仕組みを複雑にする。第１のコンポーネント・キャリア上の下りリンク伝送に対するパスロスの推定は、そのコンポーネント・キャリア上の上りリンク伝送のための電力を決定するためには役に立つことができるが、他のコンポーネント・キャリア上での上りリンク伝送のための電力を制御するためには、大変不正確および不十分であり得る。しかし、キャリア・アグリゲーションだけが、帯域幅を増やすために採用され、ＵＥの上りリンク伝送制御を複雑にする唯一の技術というわけではない。
【００２１】
キャリア・アグリゲーション技術によって課される電力制御の複雑化に加えて、異機種ネットワークが、異機種ネットワークにおいてあり得る多くのセル間の干渉を避けるための電力制御に対する必要性を増加させ、異なる伝搬距離の面での複雑化を生み出す。ＵＥの電源が入れられるとき、または活性化されるとき、ＵＥとｅＮｏｄｅＢとの距離は、信号における伝搬遅延という結果につながる。伝搬遅延は、多くの異なるワイヤレスネットワーク規格における問題を引き起こし得る。
【００２２】
例えば、３ＧＰＰ  ＬＴＥは、シングルキャリア直交周波数分割多重化（ＳＣ−ＯＦＤＭ）を上りリンクのための変調規格として使用する。ＳＣ−ＯＦＤＭにおいては、いかなる１つの時間においても、特定のＵＥのための上りリンク伝送は単一のキャリア上で起こる。しかし、いくつかのＵＥからの上りリンク伝送は、ＯＦＤＭにおける伝送のために利用可能な複数のサブキャリア上で多重化することができる。複数のＵＥからの上りリンク伝送の多重化によって、ＵＥからの伝送の協調が必要になる。ＵＥの協調は、それらのＵＥに関連するタイミング遅延の問題を生む。
【００２３】
図２は、ＯＦＤＭの枠組みにおいて利用可能にされる伝送リソースの概略説明を提供する。ＯＦＤＭは、時間および周波数の両方によって定義される無線伝送のためのリソースを提供する。周波数については、現在のＬＴＥリリース８／９／１０仕様書では、各コンポーネント・キャリアは、複数のサブキャリアに分割され、各サブキャリアは、１５ＫＨｚの帯域幅を持っている。コンポーネント・キャリアのサイズに応じて、サブキャリアの数は、７２から１２００サブキャリアまで変わる。時間については、伝送は、複数のフレームに分割される。各フレームは、１０マイクロ秒の幅を持つ。各フレームは、各１マイクロ秒の１０個のサブフレームに分割され、各サブフレームはさらに、２個の０．５マイクロ秒のスロットに分割される。
【００２４】
ＳＣ−ＯＦＤＭ上り伝送においては、ｅＮｏｄｅＢのスケジューラは、異なるＵＥに異なるサブキャリアおよびスロットを割り当てる。しかし、もし、さまざまなＵＥに対するさまざまな伝搬遅延が考慮されないならば、同一リソース要素における複数ユーザのための伝送が発生し、干渉および混乱という結果につながる。従って、各ＵＥは、上りリンク伝送中の伝搬遅延を考慮して、正しいリソース要素内で伝送することを保証しなければならない。
【００２５】
伝搬遅延を考慮するために、ＵＥにおける伝送タイミングは調整され得る。これは一般に、ＵＥからｅＮｏｄｅＢに信号を送信し、ＵＥからの信号がｅＮｏｄｅＢにおけるタイミングアドバンス信号とどれだけ近い相関関係にあるかに基づいて、ＵＥにおいてどれだけ伝送タイミングを（前方に、または、後方に）調整する必要があるかを指示するｅＮｏｄｅＢからの応答を受信することによって達成される。
【００２６】
３ＧＰＰ  ＬＴＥ仕様書リリース８／９／１０は、ＵＥから伝送される信号がランダムアクセスプリアンブルを含むことを指定している。ランダムアクセスプリアンブルは、上りリンクにおける媒体アクセス制御（ＭＡＣ）層で割当てられ得、物理ランダムアクセスチャネル（ＰＲＡＣＨ）等のランダムアクセスチャネル（ＲＡＣＨ）上で通信され得る。ＵＥによって送信されたこの信号は、ｅＮｏｄｅＢにおいて受信され、タイミング参照信号との相関がとられる。ｅＮｏｄｅＢによって、ＵＥにおけるキャリア信号の伝送のタイミングアドバンスがどれだけ調整される必要があるかが相関に基づいて決定される。タイミングアドバンスは、プラス方向またはマイナス方向に調整され得る。
【００２７】
次に、ｅＮｏｄｅＢは、タイミングアドバンス命令要素を提供するランダムアクセス応答（ＲＡＲ）を送信し得る。ＲＡＲを受信すると、ＵＥは、受信した数に基づいてその伝送のタイミングを調整できる。ＵＥのタイミングは、＋／−４Ｔｓ以上の相対正確性を持って調整され得る。ここで、Ｔｓは１／（１５，０００＊２０４８）秒である。ＵＥにおける伝送タイミングの変更は、タイミングアドバンス（タイミングを時間的に後ろ方向または前方向に動かす）と称される。ＲＡＣＨからの初期同期の後、ｅＮｏｄｅＢは、同期追跡、および／または、同期更新のために、サイクリックプレフィックス（cyclic  prefix）または上りリンク参照信号等の他の上りリンク信号を使用し得る。
【００２８】
現在、３ＧＰＰ  ＬＴＥリリース１０仕様書において、唯一のタイミングアドバンス値が、キャリア・アグリゲーションで構成されたＵＥに対する以下の２つの制限事項とともにサポートされている：（１）タイミングアドバンスはＰＣｅｌｌへの同期に基づく；そして、（２）ＳＣｅｌｌについてはＲＡＣＨ手順は許されない。しかしながら、複数のキャリア・コンポーネントの使用は、ｅＮｏｄｅＢとの下りリンクおよび上りリンク接続の設定における追加の複雑性を加え得る。上りリンクＰＣｅｌｌとＳＣｅｌｌ（複数）の両方で、同じ単一のタイミングアドバンスを共有し、それは、ＰＣｅｌｌで維持される。従って、たとえ、同じ帯域または異なる周波数帯域において複数のコンポーネント・キャリアがアグリゲートされているときでも、上りリンクにおいて単一のタイミングアドバンスだけがサポートされる。
【００２９】
しかしながら、増え続ける需要を処理するためにより多くの構成要素を採用し、ネットワークがより異機種ネットワークになるにつれて、異なる伝搬距離に対応する異なるパス長および伝送のための電力要求を考慮するために、コンポーネント・キャリア毎の個別のタイミングアドバンスが必要となるいくつかのシナリオがある。異機種ネットワークにおいて、ｅＮｏｄｅＢ等の複数の通信ノードの使用に対応するために、システムは、複数のタイミングアドバンスを許すように構成することができる。これらの複数のタイミングアドバンスは、キャリアアグリゲーションを採用する異機種ネットワークにおける電力制御にとって有益に利用することができる。そのようなネットワークにおいては、上りリンク伝送のための伝搬距離は、コンポーネント・キャリア間で変わり得る。電波がパス長に沿って伝搬するにつれて、電波は電力を散らす。従って、パス長が大きければ大きい程、より大きい上りリンク伝送電力が要求される。異なるコンポーネント・キャリア上の伝送が、著しく異なる伝搬距離を伝搬させられる３つの異なるシナリオが図３−５において示されている。これらのシナリオは、例示を目的として提供されたものであり、すべての関連する可能性のあるシナリオをカバーするものではない。
【００３０】
図３は、ＵＥ３０２が、第１の周波数ｆ１で伝送される第１のコンポーネント・キャリア信号３０６と関連付けられたＰＣｅｌｌとともに構成されている、例示を提供する。ＳＣｅｌｌは第２の周波数ｆ２で伝送される第２のコンポーネント・キャリア信号３０８と関連付けられている。第１のコンポーネント・キャリア信号は、第１の周波数選択性リピータ３１２によってｅＮｏｄｅＢ３１０にリレーされ得る。第２のコンポーネント・キャリア信号は、第２の周波数選択性リピータ３１４によってｅＮｏｄｅＢ３１０にリレーされ得る。
【００３１】
各リピータ３１２、３１４は、ｅＮｏｄｅＢ３１０から異なる距離に位置し得る。各リピータと比較したＵＥ３０２の位置、および、ｅＮｏｄｅＢと比較した各リピータの距離に応じて、第１のコンポーネント・キャリア信号３０６が伝搬する距離は、第２のコンポーネント・キャリア信号３０８が伝搬する距離と実質上異なり得る。もし、ｅＮｏｄｅＢにおけるコンポーネント・キャリア信号の到来タイミングが４Ｔｓよりも大きいならば、タイミングは、３ＧＰＰ  ＬＴＥ仕様書規格の範囲内ではない。こうして、各コンポーネント・キャリアについてのタイミングアドバンスを実行する必要があり得る。
【００３２】
加えて、理解されるように、異なるパス長は、上りリンク伝送についての異なる伝搬距離という結果につながる。異なる伝搬距離は、成功する、そして信頼できる伝送のために、異なる電力レベルを要求する。より大きい遅延を補償するためのタイミングアドバンスが大きければ大きい程、上りリンク伝送のためのより大きい電力が必要となる。
【００３３】
同様に、図４は、ＵＥ４０２が、第１の周波数ｆ１を持つ第１のコンポーネント・キャリア信号４０６を伝送し、そしてまた、第２の周波数ｆ２を持つ第２のコンポーネント・キャリア信号４０８を伝送する一例を提供する。第１のコンポーネント・キャリアは、初期ベースバンド処理のために第１の周波数選択性リモート無線ヘッド（ＲＲＨ）４１２によって受信され、追加処理およびネットワークへの通信のためにベースバンドユニット（ＢＢＵ）またはｅＮｏｄｅＢ４１０に通信されることができる。第２のコンポーネント・キャリアは、第２のリモート無線ヘッド４１４によって受信され、ＢＢＵ／ｅＮｏｄｅＢへ通信されることができる。
【００３４】
図３におけるように、各ＲＲＨ４１２、４１４と比較したＵＥ４０２の位置、および、ｅＮｏｄｅＢ４１０と比較した各ＲＲＨの位置は、各コンポーネント・キャリア信号４０６、４０８のパス長および伝搬距離を変え得、各コンポーネント・キャリアに対する個別のタイミングアドバンスの潜在的な必要性を生み出し得る。これらの異なるタイミングアドバンスは、異なるパス長に起因する上りリンク伝送のための異なる電力要求に対応するであろう。
【００３５】
図５は、追加の例を提供する。追加の例において、ＵＥ５０２は、第１のｅＮｏｄｅＢ５１０および第２のｅＮｏｄｅＢ５１２と、強調マルチポイント（ＣｏＭＰ）通信を使用して通信するように構成されている。第１および第２のｅＮｏｄｅＢ５１０、５１２は、ｅＮｏｄｅＢ間の通信が協調できるように、高速光ファイバまたは他のタイプの通信リンクによって接続され得る。例えば、ｅＮｏｄｅＢ間にＸ２リンクが形成され得る。この例において、ＵＥは、第１の周波数ｆ１を有する第１のコンポーネント・キャリア信号５０６と、第２の周波数ｆ２を有する第２のコンポーネント・キャリア信号５０８とを介して通信する。
【００３６】
第１のコンポーネント・キャリア信号５０６は、第１のｅＮｏｄｅＢ５１０によって受信され得る。さらに、第２のコンポーネント・キャリア信号５０８は、第２のｅＮｏｄｅＢ５１２によって受信され得る。上りリンクＣｏＭＰの文脈において、異なるセルは、いかなるコンポーネント・キャリア上のＵＥ５０２の信号も受信し得る。従って、タイミングアドバンスは、セルのいずれをターゲットにするためにも選択できる。こうして、異なるキャリアは、異なるタイミングアドバンスコマンドを持ち得る。図３および図４におけるように、各ｅＮｏｄｅＢと比較したＵＥの位置は、各コンポーネント・キャリアのパス長を変更し得、各コンポーネント・キャリアのための個別のタイミングアドバンスおよび電力制御について潜在的必要性を生み出し得る。
【００３７】
図３−５において、複数のパス長および伝搬距離は、上りリンク電力伝送のための異なる電力要求に対応する。これらの複数のパス長は、複数のｅＮｏｄｅＢから、ｅＮｏｄｅＢとの接続におけるＲＲＨおよびリピータ／リレーの使用まで、異機種ネットワークにおけるリソースの異なる組合せから生じる。多くの他の組合せが可能である。異機種ネットワークは、ＲＲＨ、リレー、および、マイクロセル、ピコセル、フェムトセル、ホームセルをエリアに加えることによる追加のリソースの使用を通して、利用可能周波数帯をより効率的に使用し、より一様なカバレージを提供する。ワイヤレスネットワークに対する要求が増加するにつれ、古いリソースに対する要求から解放し、要求を減らすために採用される追加リソースの数は増加している。
【００３８】
図６ａには、キャリア・アグリゲーションが採用されている異機種ネットワークが描かれている。そのような環境は、電力制御に対する拡張された必要性とともに、複数のタイミングアドバンスおよび伝送電力についての必要性をもたらす。図は、１つの例示のみを提供するが、関連技術分野の当業者は、殆ど無限の種類の代替の異機種ネットワークを認識するであろう。ネットワークは、２つの異なる周波数帯内でＵＥ６０４通信するように構成されたマクロセルｅＮｏｄｅＢ６０２を含む。第１の周波数帯内の通信は点線矢印ｆ１で示され、第１の周波数帯はＳＣｅｌｌに関係することを示している。第２の周波数帯内の通信は実線矢印ｆ２で示され、第２の周波数帯はＰＣｅｌｌに関係することを示している。図６ｂにおいて示されているように、第１の周波数帯（周波数帯ｘ）は、特定のコンポーネント・キャリアＣＣ１に対応し、第２の周波数帯（周波数帯ｙ）は、別のコンポーネント・キャリアＣＣ２に対応する。
【００３９】
図６ａの例において示されたネットワーク環境はまた、ピコセルｅＮｏｄｅＢ６０６を含む。この例においてはピコセルが使用されているが、マイクロセル、フェムトセル、ホームｅＮｏｄｅＢ、リピータ、ＲＲＨ等、いかなるタイプの低電力ノードもまた使用されることができる。重要なこととして、この例におけるピコセルもまた、上りリンクおよび下りリンク伝送について、ＣＣ１に対応する第１の周波数範囲ｆ１上で、また、ＣＣ２に対応する第２の周波数範囲ｆ２上で、ＵＥ６０４と通信するように構成されている。換言すると、マクロセル６０２およびピコセル６０６は、同じ時間／周波数ｆ１およびｆ２上で通信するように構成され得る。しかしながら、第１の周波数範囲ｆ１は、ピコセルｅＮｏｄｅＢ６０６との関係においてはＰＣｅｌｌになるので、ピコセルｅＮｏｄｅＢ６０６との関係においては実線矢印で描かれている。同様に、第２の周波数範囲ｆ２は、ピコセルｅＮｏｄｅＢ６０６との関係においてはＳＣｅｌｌになるので、ピコセルｅＮｏｄｅＢとの関係においては点線矢印で描かれている。同じく重要なこととして、ピコセルのカバレージエリア６０８は、マクロセルのカバレージエリア６１０とオーバーラップしている。その結果、ＣＣ１およびＣＣ２内の干渉についての潜在となっている。ピコセルとＵＥはまた、それぞれ４つの追加のコンポーネント・キャリアＣＣ３、ＣＣ４、ＣＣ５およびＣＣ６に対応し、ＳＣｅｌｌなので点線矢印で描かれている、４つの追加の周波数範囲ｆ３−ｆ６内で上りリンクおよび下りリンクの通信のために構成されている。
【００４０】
図６ｂは、マクロセル６０２およびピコセル６０６が構成されているコンポーネント・キャリアを示しており、コンポーネント・キャリアを、コンポーネント・キャリアが関連している周波数帯によって、セルタイプ、すなわちＰＣｅｌｌまたはＳＣｅｌｌと、およびマクロセルまたはピコセルに関して関係するコンポーネント・キャリアの番号とで分類している。図６ｂから理解されるように、マクロセルにとってのＰＣｅｌｌは、ＣＣ２のために構成されており、ＣＣ１はマクロセルの唯一のＳＣｅｌｌとして機能している。逆に、ＣＣ１は、ピコセルにとってのＰＣｅｌｌとして構成されており、ＣＣ２およびＣＣ３からＣＣ６は、異なるＳＣｅｌｌとして構成されている。ＰＣｅｌｌ指定についての異なるコンポーネント・キャリアの使用は、拡張セル間干渉協調（ＥＩＣＩＣ）の結果であり得る。上りリンクおよび下りリンク伝送の両方のために構成されたコンポーネント・キャリアは、セルと考えられ、その機能に基づいて、上述の通り、ＰＣｅｌｌまたはＳＣｅｌｌとして構成され得る。
【００４１】
図６ｂの表によって提供される別の重要な情報は、ＣＣ１は、バンドｘとして参照される第１の周波数帯において動作し、一方、ＣＣ２およびＣＣ３からＣＣ６は、バンドｙとして参照される第２の周波数帯において動作するということである。異なる周波数帯において動作するコンポーネント・キャリアの使用は、先に議論したように、パスロスおよび異なる周波数で動作する電波の伝搬特性、における違いに起因して、上りリンク伝送中に各コンポーネント・キャリアに適用される必要のある電力量について著しい影響を持ち得る。この例では、ＣＣ１のための上りリンク電力は、ＣＣ１とは異なる周波数帯にあるＣＣ２−ＣＣ６のための上りリンク電力に比べて著しく違い得る。
【００４２】
図６ａおよび図６ｂにおいて描かれた例は、開ループ電力制御に対する従来のアプローチでは不十分な状況をもたらし得る。異なる周波数帯におけるキャリアのアグリゲーション、無線リソースの増殖、そしてその結果生じる干渉、は、その中に著しい干渉が存在するコンポーネント・キャリアに関して、下りリンクパスロスの推定に基づく上りリンク電力伝送についての推定の品質を低下され得る。
【００４３】
例えば、図６ａおよび図６ｂにおいて描かれたシナリオにおいて、ＣＣ１上ではマクロセル６０２とピコセル６０６との間には、ＣＣ２と比較して、比較的弱い干渉がある。ＣＣ２上ではＵＥ６０４とピコセルとの間には実質的に強い干渉がある。干渉はＣＣ１上では弱いので、ＣＣ１上の上りリンク伝送のための電力を制御するために、ＣＣ１上の下りリンク電力ロスの推定を使う開ループ方式は使うことができる。ＵＥ６０４とマクロセル６０２との間と、ＵＥ６０４とピコセル６０６との間とでは伝搬距離は変わるので、それぞれの距離について、異なる下りリンクパスロス推定が実行され得る。同様に、ＣＣ３に関連する周波数３上には競合する伝送は無いので、ＣＣ３上の上りリンク伝送のための電力を制御するために、ＣＣ３上の下りリンクパスロスの推定はまた使うことができる。
【００４４】
しかしながら、これは、マクロノード６０２に起因する周波数２内の強い干渉のため、
ＣＣ２についてはあてはまらない。周波数１内の干渉に比べて比較的強い干渉は、高い確率で、電力ロスについての不正確な下りリンク推定をもたらす。従って、開ループ電力制御の既存の方法は、ＣＣ２上の上りリンク伝送についての電力を決定するためには使用できない。
【００４５】
ＣＣ２に関連して、周波数１についての電力ロスの下りリンク推定についての信頼性にも問題がある。なぜならば、周波数１と周波数２は、それぞれＣＣ１とＣＣ２に関係付けられているが、異なる周波数帯、すなわち、周波数バンドｘと周波数バンドｙ、の中にある。従って、ＣＣ１について正確なパスロスの下りリンクの推定は、ＣＣ２については、１４ｄＢから２５ｄＢの間位で、不正確である確率が高い。もし、ＣＣ３についての下りリンクパスロス推定がＣＣ２上の上りリンク伝送電力制御のために使用されたならば、これらの不正確さはもたらされないであろう。なぜならば、ＣＣ２およびＣＣ３に関連付けられた周波数は、同じ周波数バンド内にあるからである。現在、異なるコンポーネント・キャリアについてのパスロス推定は、コンポーネント・キャリアが異なる周波数内で動作し得、それによって、上りリンク信号の実質的に異なるパスロスがもたらされるということを考慮していない。
【００４６】
これらの障害を克服するために、同じ周波数バンドにおけるコンポーネント・キャリアのための１以上のコンポーネント・キャリア・リストを、ｅＮｏｄｅＢは編集し送信することができ、ＵＥは、それを受信することができる。ＵＥはこのリストをｅＮｏｄｅＢから参照の目的で受信することができる。コンポーネント・キャリア・リストを参照することにより、ＵＥは上りリンク伝送についての電力を制御することができる。なぜならば、同じ周波数バンド内のコンポーネント・キャリアは、実質的に同様のマルチパスの、および／または、伝搬の、特性を持つ確率が高いからである。従って、ＵＥは、リスト内のコンポーネント・キャリアについての下りリンク上のパスロスを、十分に低い干渉とともに推定することができる。そしてＵＥは、リスト内のいかなるコンポーネント・キャリア上の上りリンク電力を、たとえ、正確なパスロス推定を得るにはそのコンポーネント・キャリアの下りリンク上に干渉が有り過ぎても、そのパスロス推定を使用して制御することができる。
【００４７】
しかし、たとえ、コンポーネント・キャリアが同じ周波数バンド内の周波数と関連付けられていたとしても、下りリンクのパスロス推定は、上りリンク電力制御のための正確な基礎として役に立たないこともあり得る。例えば、コンポーネント・キャリア同士が同じ周波数バンド内にあり得たとしても、それらのコンポーネント・キャリアは、それぞれの上りリンク上で、２つのコンポーネント・キャリア内に存在する異なるレベルの干渉を受け得る。例えば、パスロスの推定が、１つのコンポーネント・キャリアについて決定され得る。ここで、そのコンポーネント・キャリアはその上りリンク上で、第２のコンポーネント・キャリア上で第２のコンポーネント・キャリアが遭遇するであろう干渉に比べて、より少ない干渉を経験するであろう。これは、たとえ２つのコンポーネント・キャリアが同じ周波数バンド内にあったとしても、干渉を考慮していない第２のコンポーネント・キャリアのためのパスロスの不正確な推定につながり得る。ＵＥは、以下で議論されるように、この干渉を考慮するように追加の手段を取り得る。しかし、干渉だけが、ＵＥにおける上りリンク電力制御に関連する他の要因ではない。
【００４８】
そのような要因の他の例として、図３乃至図５において示されているように、そして、図６ａにおけるＵＥ６０４とマクロセルｅＮｏｄｅＢ６０２との間の距離とＵＥ６０４とピコセル６０６との間の距離との違いによって描かれているように、異なるセル間において伝搬距離は大きく変わり得る。これらの異なる伝搬距離は、高い確率で、異なる電力要求をもたらすであろう。たとえ、下りリンクパスロス推定が同じ周波数バンド内で実行された場合でも、図３乃至６において描かれているような異なるｅＮｏｄｅＢ等の異なる物理的リソースへの異なる伝搬距離は、ＵＥからｅＮｏｄｅＢへの上りリンク通信のための異なる電力要求をもたらし得る。
【００４９】
タイミング制御という点で、これらの異なるパス長に対処するためのステップが実行されてきている。例えば、ＵＥ６０４と１以上のｅＮｏｄｅＢ６０２、６０６との間の複数の異なる時間遅延を取り込むために複数のタイミング・アドバンス（時間的に前方または後方の）が実行され得る。そして、実質的に同様の、または、十分に同様のタイミング・アドバンスが、ｅＮｏｄｅＢによって、タイミング・アドバンス・グループ（ＴＡＧ）にグループ分けされ得る。ＴＡＧにおける参照ｅＮｏｄｅＢは、そのＴＡＧのためにタイミング・アドバンス値をＵＥに割り当てることができる。逆に、選択された距離よりも互いに離れている、その結果上りリンク信号の到着の時間において望ましくない差が生じている、ｅＮｏｄｅＢは、異なるパス長を取り込むために異なるＴＡＧ内に置かれ得る。しかしながら、異なるパス長の影響は、電力制御の面では、対処されていない。利用可能な帯域幅を増やすためのキャリア・アグリゲーションを伴う異機種環境の使用は、ＵＥのための開ループ上りリンク伝送電力を正確に予測するための複雑さの増加をもたらし得る。
【００５０】
これらの障害を克服するために、ｅＮｏｄｅＢ６０２、６０６とＵＥ６０４との間の通信のためにコンポーネント・キャリアを構成することに加えて、ｅＮｏｄｅＢはここでもまた、上述のコンポーネント・キャリア・リストの線に沿って、コンポーネント・キャリア・リストを編集し送信することができ、ＵＥは受信することができる。そのような実施形態において、ｅＮｏｄｅＢはここでもまた、複数のコンポーネント・キャリアを、ＰＣｅｌｌ、ＳＣｅｌｌまたは何らかの他の方法で構成されているか、グループ分けできる。これらのコンポーネント・キャリアは、各コンポーネント・キャリアが関連付けられた伝送ノードの地理的位置に基づいて、ｅＮｏｄｅＢによってグループに分けられることができる。そのような実施形態において、１つのコンポーネント・キャリア・リスト内のコンポーネント・キャリアは、セルに対応する伝送ノードの地理的位置に基づいて、同様の伝搬距離を持つことができる。前述のとおり、リストは、ＳＣｅｌｌに限定することができる、または、ＰＣｅｌｌを含むことができる。ある実施形態においては、同じようなリストが、同じＴＡＧに属するタイミング・アドバンスを有するサービングセルに基づいて、または、同じＴＡＧに属するサービングセルに基づいて、生成されることができる。
【００５１】
ＴＡＧは、多くの異なる方法で形成されることができる。ＴＡＧは、コンポーネント・キャリアに割り当てられたタイミング・アドバンスに基づいて形成されることができる。加えて、ＴＡＧは、必ずしもすべてのコンポーネント・キャリアにＴＡＧが割り当てられるとは限らない状況において、ワイヤレスネットワークのインフラについての情報と一緒にタイミング・アドバンスが割り当てられているコンポーネント・キャリアに基づいて形成されることができる。
【００５２】
第１のアプローチに関して、ＵＥ開始とｅＮｏｄｅＢ開始との組合せのランダムアクセスチャネル（ＲＡＣＨ）手順によって、１つの非限定的な例が見つかる。ＵＥ  ＲＡＣＨ手順は、３ＧＰＰ  ＬＴＥリリース８／９／１０仕様書においてＰＣｅｌｌによって実行されるように指定される。しかし、ＲＡＣＨ手順は一般にＳＣｅｌｌのために定義されないが、ＳＣｅｌｌのためのタイミング・アドバンスの調整を許すために、ｅＮｏｄｅＢ開始ＲＡＣＨ手順が、ＳＣｅｌｌによって使用されることができる。
【００５３】
そのような状況において、ＳＣｅｌｌによるタイミング・アドバンスの調整の必要性はｅＮｏｄｅＢによって決定される。ＲＡＣＨ手順は、ｅＮｏｄｅＢによる、スケジューリング・セルについてタイミング・アドバンスの調整が必要な上りリンクのための物理下りリンク制御チャネル（ＰＤＣＣＨ）命令を通してトリガーをかけられることができる。ＣＣｅｌｌにおけるタイミング・アドバンス調整のためのＲＡＣＨ手順はｅＮｏｄｅＢによってトリガーをかけることができるので、また、上りリンクＲＡＣＨ伝送はｅＮｏｄｅＢによって指示されることが予想されるので、伝送は、競合の可能性を防ぐために指定されたプリアンブルを使用するように構成することができる。このようにして、すべてのコンポーネント・キャリアは、それらがＰＣｅｌｌと関連づけられているかＳＣｅｌｌと関連付けられているかにかかわらず、タイミング・アドバンスを割り当てられることができる。
【００５４】
第２のアプローチに関して、コンポーネント・キャリアの限定された数のタイミング・アドバンスだけが決定されることができる。しかし、残りのコンポーネント・キャリアは、各コンポーネント・キャリアに関連付けられたノードのお互いに対する地理的位置に基づいて、異なるＴＡＧを割り当てることができる。お互いが選択された距離内に位置するコンポーネント・キャリアは、同じＴＡＧを割り当てられることができる。各ＴＡＧには、個別のタイミング・アドバンス・タイマーが維持されることができる。さらに、ある実施形態においては、ＳＣｅｌｌのＲＡＣＨ通信のための将来の規格が採用されることもできる。
【００５５】
コンポーネント・キャリアは、多くの異なる手段によって、あるＴＡＧの一員として識別されることができる。例えば、ＴＡＧは、ＴＡＧにおけるキャリア・コンポーネントの１つのセル・インデックス（ＣＩ）によって識別されることができ、それは、ＴＡＧにおける他のコンポーネント・キャリアと関連付けられている。１つの非限定的な実施形態において、例えば、ＴＡＧにおけるサービングセル内のノードを使用して、最も小さいセル・インデックス値を参照ＣＩとする等の暗黙のルールが使用され得る。ある実施形態においては、ＰＣｅｌｌに関連付けられたコンポーネント・キャリアがＣＩを提供できる。代替的な実施形態においては、タイミング・アドバンス・インデックスがＴＡＧにおけるコンポーネント・キャリアに関連付られ得、ＴＡＧを識別するために選ばれる。ＴＡＧおよびそのメンバーとなるコンポーネント・キャリアを識別するために使用される情報の種類にかかわらず、この情報はまた次に、同じＴＡＧ内にあると識別された各コンポーネント・キャリアに対して、同じ上りリンク電力推定が使用されることが出来るときに、識別するために使用されることができる。
【００５６】
ＴＡＧへと組織されたコンポーネント・キャリアは、ＵＥとコンポーネント・キャリアに関連付けられたワイヤレス伝送ノードとの間に同様の伝搬距離を有することができるので、これらのコンポーネント・キャリアは、少なくとも伝搬距離の面で、同様の電力要求を有することができる。従って、上りリンク電力伝送の必要性に影響する他の変数（例、周波数バンドおよび干渉レベル）が実質的に同じであると仮定すると、もし、１つのコンポーネント・キャリアについてパスロス推定がされたならば、リスト中の他のコンポーネント・キャリアについての上りリンク伝送電力のための電力は、実質的に同じであり得る。
【００５７】
同様に、なんらかの他の手段によって、上りリンク伝送電力が同じＴＡＧ内のいずれかのコンポーネント・キャリアについて決定されたならば、同じＴＡＧ内の他のコンポーネント・キャリアについて同じ上りリンク伝送電力が適用され得る。１以上のＴＡＧが、上りリンク電力制御のために、ｅＮｏｄｅＢからＵＥに通信され得る。ＴＡＧは、上で議論されたように、コンポーネント・キャリア・リストの基礎を構成し得、あるいは、１以上のコンポーネント・キャリア・リストに加えてｅＮｏｄｅＢによって提供され得る。
【００５８】
周波数バンド、伝搬距離、およびＴＡＧ、のいかなる組合せも、コンポーネント・キャリア・リストにおけるコンポーネント・キャリアをグルーピングするための基礎となり得る。例えば、そして、限定するものではないが、コンポーネント・キャリア・リストは、同じ周波数バンド内にあり、実質的に同じ伝搬距離を有するコンポーネント・キャリアを含むことができる、または、他の考慮事項とは関係なく、実質的に同様の伝搬距離を有するコンポーネント・キャリアを含むことができる、または、他の考慮事項とは関係なく、同じ周波数バンド内にあるコンポーネント・キャリアを含むことができる。しかし、周波数バンド、伝搬距離、そしてＴＡＧ、だけが、コンポーネント・キャリアがコンポーネント・キャリア・リストに含まれるための考慮事項である必要はない。上りリンク伝送電力推定にとって適切な他のファクターもまた、コンポーネント・キャリアをコンポーネント・キャリア・リストに含めるかを慎重に検討するために使用され得る。
【００５９】
しかし、追加の対策がまた、異なるコンポーネント・キャリア上の干渉レベル等、上りリンク電力推定に関連するファクターを考慮し得る。ある実施形態においては、コンポーネント・キャリアは、電力損失に影響を与える干渉パラメータに基づいて、上りリンク電力制御のためにコンポーネント・キャリア・リストに選択されるように識別され得る。なお、この、電力損失に影響を与える干渉パラメータの情報は、ｅＮｏｄｅＢによって知られている。しかし、干渉情報は、必ずしもコンポーネント・キャリア・リストに含まれている必要はない。
【００６０】
図７ａは、コンポーネント・キャリア・リストおよび他の対策を上りリンク伝送を制御するために使用する処理を示している。ブロック７１０ａに示されるように、各コンポーネント・キャリアの伝送ノードの地理的位置、および／または、各コンポーネント・キャリアがその中で通信するように構成されている周波数バンドに基づいて複数のコンポーネント・キャリアをグループ分けするようにｅＮｏｄｅＢによって編集されたコンポーネント・キャリア・リストをＵＥは受信することができる。ある実施形態において、しかし、すべての実施形態においてではないが、ＵＥは、７２０ａに示されるように、複数のコンポーネント・キャリアについての干渉インジケータメッセージをｅＮｏｄｅＢに送信することができる。
【００６１】
ある実施例においては、ｅＮｏｄｅＢは、ｅＮｏｄｅＢで発生する事象に基づいて、干渉インジケータメッセージを生成するようにＵＥに対してトリガーをかけることができる。そのような事象の１つの例は、ｅＮｏｄｅＢとのＲＡＣＨ通信の開始であり得る。追加の実施形態において、ＵＥは、新しいＴＡの受信等のＵＥで発生する事象をきっかけに干渉インジケータメッセージの生成のトリガーをかけることができる。ＵＥは、干渉インジケータメッセージによって示された複数のコンポーネント・キャリアにおけるコンポーネント・キャリアについての下りリンク上で受信されることができる情報を用いて干渉インジケータメッセージを生成することができる。例えば、ＵＥは、コンポーネント・キャリアの下りリンクにおいて参照信号を受信することができる。
【００６２】
参照信号は、ＵＥによって先験的に知られることができるので、ＵＥは、１以上の参照信号を使用して、参照信号が受信された下りリンク内のコンポーネント・キャリアについての信号品質に関する測定をすることができる。そのような測定は、信号対雑音比（ＳＮＲ）、信号対干渉プラス雑音比（ＳＩＮＲ）、信号対雑音プラス歪み比（ＳＮＤＲ）、そして／または、信号品質に関係のある他の情報を決定するための測定を含むことができる。このようにしてＵＥは、これらのコンポーネント・キャリアについての測定をするために、複数のコンポーネント・キャリアからの下りリンクにおける参照信号を使用することができる。
【００６３】
そして、ＵＥは、複数のコンポーネント・キャリアについての干渉インジケータメッセージを生成するために、この情報を組合せることができる。ある実施形態においては、干渉インジケータメッセージは１以上のチャネル品質インジケータ（ＣＱＩ）を含む。ある実施形態においては、１以上のＣＱＩ測定は、１以上の参照信号受信電力（ＲＳＲＰ）測定および、１以上の参照信号受信品質（ＲＳＲＱ）測定を含み得る。追加の実施形態はまた、１以上のプリコーディング行列インジケータ（ＰＭＩ）を含み得る。
【００６４】
ｅＮｏｄｅＢは、ＵＥによってｅＮｏｄｅＢに送信された干渉インジケータメッセージを受信することができる。この干渉インジケータメッセージを使用して、ｅＮｏｄｅＢは、１以上のコンポーネント・キャリアを干渉タグでラベルをつけることができる。ブロック７３０ａにおいて示されているように、ＵＥは、これらの干渉タグをｅＮｏｄｅＢから受信することができる。このような干渉タグは、干渉メッセージにおける干渉情報に基づいて割り当てられることができる。例えば、例示として、限定ではなく、干渉タグは、コンポーネント・キャリアを異なるクラスに分けるために使用され得る。
【００６５】
あるそのような実施形態において、干渉インジケータメッセージがＵＥによって送信され、干渉タグがＵＥによって受信された場合に、タイプ１コンポーネント・キャリア・クラスが定義されることができる。タイプ１コンポーネント・キャリア・クラスによると、タイプ１コンポーネント・キャリア・クラス内のコンポーネント・キャリアは、所定の閾値より低い干渉レベルを有する。逆に、タイプ２コンポーネント・キャリア・クラスもまた定義されることができる。この第２の定義によると、タイプ２コンポーネント・クラス内にコンポーネント・キャリアは、所定の閾値より低くない干渉レベルを有する。
【００６６】
所定の閾値は、例えば、−５ｄBのＳＩＮＲであり得る。しかし、ＳＩＮＲに関する他の値および他の測定は様々な実施形態と一貫性がある。タイプ１コンポーネント・キャリアクラスにおける一員であることを示す干渉タグは、このクラスにおけるコンポーネント・キャリアと関連付けられ得る。同様に、タイプ２コンポーネント・キャリアクラスにおける一員であることを示す干渉タグは、そのクラスにおけるコンポーネント・キャリアと関連付けられ得る。ある実施形態においては、１つの干渉タグは、もう１つのタグの不在によって推測される。
【００６７】
１以上のコンポーネント・キャリア・リスト、干渉タグ、および／または、ＴＡＧに基づいて、ＵＥは、７４０ａに示されるように、コンポーネント・キャリア・リストから推定コンポーネント・キャリアを選択することができる。（実施形態において、干渉インジケータメッセージがＵＥによって送信され、干渉タグがＵＥによって受信される場合、干渉タグは、推定コンポーネント・キャリアを選択するための基礎にはなれない。ある実施形態においては、ブロック７２０ａおよび７３０ａは実装されず、方法７００ａは、ブロック７１０ａからブロック７４０ａに進み得る。）ＵＥは、パスロス推定を実行する目的で、推定コンポーネント・キャリアを選択することができる。ＵＥは、推定コンポーネント・キャリアについてパスロス推定を推定することができる。このパスロス推定は、推定コンポーネント・キャリアの下りリンクにおける既知の参照信号に基づいて実行することができる。
【００６８】
ある実施形態において、推定コンポーネント・キャリアは、上りリンク情報を送信するために選択され、ＵＥのためのＰＣｅｌｌが構成されたコンポーネント・キャリアを含むコンポーネント・キャリア・リストからＵＥによって選択され得る。ある実施形態においては、ＵＥは、推定コンポーネント・キャリアを、推定コンポーネント・キャリアが活性化されたコンポーネント・キャリアである限り、コンポーネント・キャリア・リストからランダムに選択する。あるコンポーネント・キャリアは、ＵＥ、および／または、ｅＮｏｄｅＢによって、完全に活性化されることなく、部分的に設定される。活性化されたコンポーネント・キャリアは、比較的短い時間期間内で通信するように使用されることが計画されているコンポーネント・キャリアか、または、実際に通信に使用されているコンポーネント・キャリアである。これらの条件のいずれも満たさなくなった場合、コンポーネント・キャリアは不活性化されたと見なされる。
【００６９】
ある実施形態において、複数の活性化コンポーネント・キャリアがコンポーネント・キャリア・リストにおいて利用可能である場合、ＵＥは、最小のコンポーネント・キャリア・インデックス値を有するコンポーネント・キャリアを選択することができる。ある実施形態において、タイプ１コンポーネント・キャリア・クラスのコンポーネント・キャリアが、存在しないか、または、活性化されていない場合、ＵＥは、そのコンポーネント・キャリアが、そのＰＣｅｌｌのためにＵＥが構成されているＰＣｅｌｌに関係付けられているということに基づいて、推定コンポーネント・キャリアを選択することができる。ブロック７５０ａに示されるように、ＵＥは、推定コンポート・キャリアについて、下りリンクにおける既知の参照信号を用いてパスロス推定を実行する。推定されたパスロスは次に、推定コンポーネント・キャリアについての上りリンク電力制御のために使用される。
【００７０】
パスロスコンポーネント・キャリアについてのパスロス推定は、次に、他のコンポーネント・キャリアについてのパスロスを推定するために使用される。推定コンポーネント・キャリアと同じコンポーネント・キャリア・リストにおける他のコンポーネント・キャリアは、同様の伝搬距離と伝搬特性を有し得るので、他のコンポーネント・キャリアは、共通の周波数バンドを共有しているが、他のコンポーネント・キャリアはまた、同様のパスロス値を有し得る。したがって、推定コンポーネント・キャリアは、推定コンポーネント・キャリアと同じコンポーネント・キャリア・リストにおける他のコンポーネント・キャリアのパスロスを推定するための基礎としての役割を果たすことができる。
【００７１】
ある実施形態において、ＵＥがｅＮｏｄｅＢから受信する情報は、パスロス差パラメータを含み得る。パスロス差パラメータは、あるセルにおける上りリンク伝送のパスロスが他のセルにおける上りリンク伝送電力を決定するために使用されるパスロスに対して適用される際のオフセットを提供する。パスロス差パラメータによって提供されるオフセットは、ある周波数バンドにおける上りリンク伝送と別の周波数バンドにおける上りリンク伝送との間のパスロスにおける差を提供し得る。
【００７２】
さらに、パスロス差パラメータによって提供されるオフセットは、異なる伝搬環境の結果生じるパスロスにおける差を提供し得る。パスロス差パラメータのオフセットはまた、周波数バンドの違いと伝搬環境の考慮の両方によって知らされ得る。例えば、パスロス差パラメータは、ある特定の伝搬環境における２つの周波数バンド間の伝送に必要な電力の差についてのオフセットを与えることができる。加えて、パスロス差パラメータによって提供されるオフセットは、コンポーネント・キャリア・リストを生成するための基礎として上述されたファクターのいずれか、またはその組合せ、に基づいたパスロスにおける差を提供することができる。
【００７３】
パスロス差パラメータを適用することにより、たとえそれらのセルのいずれの１つについても上りリンク伝送についての電力値を推定する方法が利用可能でなくても、セルリスト中のセルについて上りリンク伝送についての電力制御を決定することができる。上りリンク伝送電力についての値、または、それから上り伝送電力を導出することができる下りリンクパスロス推定が、コンポーネント・キャリア・リストの外のいずれかのセルについて利用可能であり、そのセルと、コンポーネント・キャリア・リストのコンポーネント・キャリアとの間の差が、パスロスパラメータのオフセットによってカバーされている限り、リスト中のセルのいずれについての上りリンク伝送の電力を制御するためにパスロスパラメータを適用することができる。
【００７４】
例えば、そして限定するものではないが、ある周波数バンドとＴＡＧによって定義されたセルリスト中のいずれのセルについても上りリンク伝送電力推定が利用可能ではなく、しかし、実質的に同様のタイミング・アドバンスを有する別の周波数バンド内のセルについて電力推定が利用可能である場合には、パスロス差パラメータは適用することができる。ある例においては、パスロス差パラメータはまた、各活性化ＳＣｅｌｌが選択された閾値よりも大きい信号品質値を有するとき、コンポーネント・キャリア・リスト内のＳＣｅｌｌについてのパスロス推定値を決定するために使用することができる。同じような方法で、パスロス差パラメータはまた、いずれのリストにも全く入っていないコンポーネント・キャリアについての上り伝送のための電力制御を許すために適用することができる。パスロス差パラメータの１つのタイプは、ＰＣｅｌｌとＳＣｅｌｌの上りリンク伝送の間のパスロス差を提供することができる。１以上のパスロス差パラメータを、ＵＥにおいて、ｅＮｏｄｅＢから、コンポーネント・キャリア・リストを伴って、または、伴わずに、受信することができる。
【００７５】
図７ｂは、ｅＮｏｄｅＢにおいて行われているような、多くの異なるタイプのコンポーネント・キャリア・リストの１つの編集またはグルーピングの一例を示している。与えられたＵＥに関連する各コンポーネント・キャリアについて、ｅＮｏｄｅＢは、そのコンポーネント・キャリアがＴＡＧと関連付けられているか否かを決定する。あるコンポーネント・キャリアに関連付けられたタイミング・アドバンスが実質的にこれらのＴＡＧの１つに関連付けられたタイミング・アドバンスと似ていない場合には、そのコンポーネント・キャリアは、コンポーネント・キャリア・リストに追加（７３０）されない。このコンポーネント・キャリア・リストは、もしリスト中の各コンポーネント・キャリアがＳＣｅｌｌであるならば、ＳＣｅｌｌリストと称される。そのＳＣｅｌｌのタイミング・アドバンスが十分似ている場合には、そのコンポーネント・キャリアは対応するリストに加えられる。
【００７６】
図７に描かれた実施形態において、ｅＮｏｄｅＢはさらに、コンポーネント・キャリアが、コンポーネント・キャリア・リストのために指定された選択された周波数バンド上で通信するか否かを決定（７４０）する。もし、コンポーネント・キャリアが、コンポーネント・キャリア・リストのために指定された選択された周波数バンド上で通信しないならば、そのコンポーネント・キャリアはコンポーネント・キャリア・リストに追加（７３０）されない。もし、コンポーネント・キャリアが、コンポーネント・キャリア・リストのために指定された選択された周波数バンド上で通信するならば、そのコンポーネント・キャリアはコンポーネント・キャリア・リストに追加（７５０）される。代替の実施形態において、セルがリストに追加（７５０）される前に、チャネル干渉および品質についての情報に基づいて、または、他の考慮に基づいて、同様の決定がなされ得る。ある実施形態においては、この第２の、関連するコンポーネント・キャリアの周波数バンドについての決定（７４０）だけが行われる。
【００７７】
これらの決定は、いかなる順番およびいかなる組合せでも行われ、いかなる数の潜在的決定を含む。各関連する決定（７２０、７４０）について、すべてのコンポーネント・キャリアが解析（７６０）されたならば、各結果として得られるＳＣｅｌｌリストはＵＥへ通信（７７０）される。１以上の信号が、１以上のＳＣｅｌｌにおいて、ｅＮｏｄｅＢによってｅＮｏｄｅＢからＵＥへの下りリンクチャネル上で下りリンクのパスロス推定のために、送信（７８０）される。個別の信号がまた、ＰＣｅｌｌにおいて、ＰＣｅｌｌにおける下りリンクパスロス推定のために送信されることができる。そのような信号は、ｅＮｏｄｅＢにおける伝送モジュールによって生成され、および／または、通信されることができる。
【００７８】
図８ａは、ＵＥで受信されたｅＮｏｄｅＢからのコンポーネント・キャリア・リストを上りリンク電力を制御するために使用する一例を示している。ＵＥは、ｅＮｏｄｅＢから、複数の干渉タグを有する１以上のグループを有する１以上のコンポーネント・キャリア・リストを受信（８１０ａ）する。次にＵＥは、パスロス推定を実行する対象となるコンポーネント・キャリア・リストを選択（８２０ａ）することができる。次にＵＥは、コンポーネント・キャリア・リストの中に、活性化タイプ１コンポーネント・キャリア・クラスの少なくとも１つの活性化コンポーネント・キャリアが有るか否かを決定（８３０ａ）する。もし有るならば、ＵＥは、タイプ１コンポーネント・キャリア・クラスの活性化コンポーネント・キャリアを、推定コンポーネント・キャリアとして選択（８４０ａ）する。もし無ければ、ＵＥは、ＵＥのＰＣｅｌｌに関連付けられたコンポーネント・キャリアを推定コンポーネント・キャリアとして選択（８５０ａ）する。
【００７９】
次にＵＥは、推定コンポーネント・キャリアの下りリンクにおける１以上の既知の参照信号を用いて、パスロスを推定（８６０ａ）する。パスロス推定後、ＵＥは、推定コンポーネント・キャリア・リストと同じコンポーネント・キャリア・リストにおけるコンポーネント・キャリア上で、スケジュールされた上りリンク伝送が行われるようにスケジュールされているか否かを決定（８７０ａ）する。もし決定が肯定ならば、ＵＥは、上りリンク伝送についての推定されたパスロスに見合った量だけ、その電力伝送を増加（８８０ａ）させることができる。このようにして、ＵＥは、たとえ、正確なパスロス推定のためには多すぎる干渉を下りリンク上に経験しているときでも、コンポーネント・キャリア・リスト内のコンポーネント・キャリア上の上りリンク伝送のための上りリンク電力を制御することができる。もし、決定が否定ならば、ＵＥは、パスロス評価を実行する対象となる別のコンポーネント・キャリア・リストを選択（８２０ａ）する。
【００８０】
図８ｂは、上りリンク伝送についての電力を決定するために、パスロス差パラメータを使用する一例を示している。ＵＥはｅＮｏｄｅＢからパスロス差パラメータを受信（８１０ｂ）することができる。ＵＥはまた、第１の周波数バンド内で通信しているコンポーネント・キャリアにおける下りリンクチャネル上で標準信号を受信（８２０ｂ）することができる。ＵＥは標準信号の知識を予め持っており、従って、標準信号を使用して第１の周波数バンドのための下りリンクパスロスを推定（８３０ｂ）することができる。
【００８１】
次にＵＥは、上りリンク伝送のためのセルを決定（８４０ｂ）する。ＵＥはまた、上りリンク伝送のためのセルが、第１の周波数バンド内にあるか第２の周波数バンド内にあるかを決定（８５０ｂ）する。もし、上りリンク伝送のためのセルが、下りリンクパスロス推定が実行されたバンドであるところの第１の周波数バンド内にあるならば、ＵＥは、下りリンクパスロスによって示されたパスロスを克服するのに十分な電力で上りリンク伝送を制御（８６０ｂ）する。しかし、もし、上りリンク伝送のためのセルが第２の周波数バンド内にあるならば、ＵＥは、第２の周波数バンド内のセルにおける上りリンク伝送のための電力を決定するために、下りリンク推定にパスロス差パラメータを追加（８７０ｂ）する。次にＵＥは、下りリンクパスロスの推定と、パスロス差パラメータとを組合せることにより決定した値に基づいて、上りリンク伝送の電力を制御（８８０ｂ）する。
【００８２】
図９は、上り電力制御についての他の実施形態９００を描いたものである。この方法は、ブロック９１０に示されているように、進化ノードＢ（ｅＮｏｄｅＢ）で、複数のコンポーネント・キャリアについて、干渉インジケータをユーザ装置（ＵＥ）から受信するステップを含む。各コンポーネント・キャリアは、ＵＥのセカンダリー・セル（ＳＣｅｌｌ）に関連付けられている。ブロック９２０に示されているように、ＳＣｅｌｌは、各ＳＣｅｌｌの通信ノードの地理的位置と、受信した各ＳＣｅｌｌの干渉インジケータと、および／または、各ＳＣｅｌｌがその中で通信するように構成された周波数バンドとに基づいて、少なくとも１つのコンポーネント・キャリア・リストにグループ分けされる。少なくとも１つのコンポーネント・キャリア・リストは、ＵＥがコンポーネント・キャリア・リスト内のＳＣｅｌｌを選択できるように、ｅＮｏｄｅＢからＵＥに通信される。
【００８３】
一実施形態においては、コンポーネント・キャリア・リスト内のＳＣｅｌｌについて、上りリンク電力伝送のための単一のパスロス推定値が、ｅＮｏｄｅＢに通信される。他の実施形態においては、ＵＥからｅＮｏｄｅＢへの上り伝送電力の推定に使用される選択されたコンポーネント・キャリアのための下りリンクパスロスを確立するためにｅＮｏｄｅＢからＵＥへの通信が行われる。選択されたコンポーネント・キャリアは、コンポーネント・キャリア・リスト内のＳＣｅｌｌに関係する少なくとも１つのコンポーネント・キャリアとは、異なる周波数バンド内に有り得る。ある実施形態はまた、異なる周波数バンド内の２つのコンポーネント・キャリア上の通信間の推定パスロス差の情報を含むパスロス差パラメータを、ｅＮｏｄｅＢからＵＥへ通信するステップを含む。パスロス差パラメータはまた、与えられた伝搬環境について２つの周波数バンド間の推定パスロス差の情報を含むことができる。
【００８４】
ある実施形態においては、パスロス差パラメータと連携して、上りリンク伝送のための電力を推定するために使用される下りリンクパスロスを決定することができるように構成された、ｅＮｏｄｅＢからの信号の伝送が、ＵＥのＳＣｅｌｌおよびＰＣｅｌｌの１つを介して行われる。各活性化ＳＣｅｌｌが、選択された閾値よりも大きい信号品質値を有し、多すぎる干渉の可能性を示すとき、上述されたパスロス差パラメータに類似したパスロス差パラメータが、コンポーネント・キャリア・リスト内のＳＣｅｌｌのためのパスロス推定値を決定するために使用されることができる。実施形態はまた、各ＳＣｅｌｌが位置しているＴＡＧに基づいて各ＳＣｅｌｌの伝送ノードの地理的位置をｅＮｏｄｅＢにおいて識別するステップを含むことができる。
【００８５】
別の実施形態において、図１０は、ｅＮｏｄｅＢおよびＵＥに存在する上りリンク電力制御デバイスのブロック図を示している。ｅＮｏｄｅＢにおけるデバイス１００３は、グルーピングモジュール１００４を含み得る。グルーピングモジュール１００４は、チャネル情報、ＴＡＧ情報、および／または、周波数バンド情報に基づいて、複数のコンポーネント・キャリアにおける選択されたコンポーネント・キャリアを分類して、少なくとも１つのコンポーネント・キャリア・リストに入れることができる。グルーピングモジュール１００４はまた、コンポーネント・キャリア・リストをＵＥ１０２２に届けることができる。
【００８６】
ある実施形態はまた、ｅＮｏｄｅＢにおいて動作し、干渉インジケータを提供するようにＵＥに要求するように構成された、要求モジュール１００６を含むことができる。要求モジュール１００６は、ｅＮｏｄｅＢによって決定されたなんらかの報告ルールに従って干渉インジケータが提供されるように要求することができる。そのような実施形態において、ｅＮｏｄｅＢは、干渉インジケータをｅＮｏｄｅＢに提供するように、ＵＥにトリガーをかけることができる。
【００８７】
ｅＮｏｄｅデバイス１００３はまた、ｅＮｏｄｅＢ１００２で動作する伝送モジュール１００８を含むことができる。伝送モジュールは、ＵＥ１０２２のコンポーネント・キャリアを介して下りリンク信号を伝送するように構成することができる。ここで、下りリンク信号は、ＰＣｅｌｌを介したＵＥによる上りリンク伝送のための電力設定を決定するためにＰＣｅｌｌが使用する下りリンクパスロスを、ＵＥが決定することを許すように構成される。ある実施形態において、伝送モジュールは、代替的に、ＵＥのＳＣｅｌｌを介して下りリンク信号を伝送するように構成される。ここで、該信号は、ＳＣｅｌｌを介した上りリンク伝送のための電力設定を推定するために使用されることができるＳＣｅｌｌのための下りリンクパスロスをＵＥが決定することを許すように構成されている。
【００８８】
ある実施形態においては、システムは、ｅＮｏｄｅＢで動作し、ＰＣｅｌｌとＳＣｅｌｌ上の通信間の推定パスロス差の情報を含むパスロス差パラメータを、ＵＥに通信するように構成されたパスロスモジュール１０１０を含むことができる。そのような実施形態においては、ＰＣｅｌｌは第１の周波数バンド内で動作し得、ＳＣｅｌｌは第２の周波数バンド内で動作し得、パスロス差パラメータは、第１および第２の周波数バンドにおける異なるパスロスの説明となる。さらなる実施形態において、パスロス差パラメータはまた、与えられた伝搬環境に対する２つの周波数バンド間の推定パスロス差の情報を含み得る。上述した伝送モジュール１００８は、ある実施形態においては、ＵＥ１０２２の特定のコンポーネント・キャリアにおいて、パスロス差パラメータと連携して上りリンク伝送のための電力設定を決定するために使用される下りリンクパスロスを、ＵＥが決定することを許すように構成された信号を伝送するように構成されることができる。
【００８９】
ＵＥ１０２２におけるＵＥデバイス１０２０は、受信モジュール１０２６を含むことができる。受信モジュールは、１以上のコンポーネント・キャリア・リストを１以上のｅＮｏｄｅＢから受信することができる。コンポーネント・キャリア・リストは、同じ周波数バンドにおいて通信するように構成された、そして／または、下りリンクチャネル上で、同様の地理的伝送位置から伝送するように構成された、１組のコンポーネント・キャリアを含むことができる。さらに選択モジュール１０２８が、ＵＥデバイス１０２０内に含まれることができる。
【００９０】
選択モジュール１０２８は、その上でパスロス推定を実行すべき推定コンポーネント・キャリアを、コンポーネント・キャリア・リストから選択することができる。ある実施形態において、選択モジュールは、そのＰＣｅｌｌに対してＵＥが構成されているＰＣｅｌｌ上で上りリンク情報を伝送するために推定コンポーネント・キャリアが選択される、ということに基づいて、コンポーネント・キャリア・リストから推定コンポーネント・キャリアを選択することができる。代替的な実施形態において、選択モジュールは、推定コンポーネント・キャリアを、１組の活性化タイプ１コンポーネント・キャリアからランダムに選択する。他の実施形態においては、選択モジュールは、最小のコンポーネント・キャリア・インデックス値を有するコンポーネント・キャリアを、推定コンポーネント・キャリアとして選択する。
【００９１】
推定モジュール１０３０がまた含まれることができる。推定モジュールは、選択モジュール１０２８によって選択された推定コンポーネント・キャリア上で、パスロス推定を実行する。パスロス推定は、次に、ＵＥ１０２２によって、推定コンポーネント・キャリア上の、および／または、同じコンポーネント・キャリア・リスト内の他のコンポーネント・キャリア上の、上り電力制御のためのパスロスを推定するために使用されることができる。推定コンポーネント・キャリアについての適切な選択と連携したコンポーネント・キャリア・リストの使用により、ＵＥは重要な問題を解決することができる。ＵＥは、推定コンポーネント・キャリアと同じコンポーネント・キャリア・リストにおける第２のコンポーネント・キャリアについての正確な推定を得ることができる。このことは、たとえ、さもなければ干渉の存在が、第２のコンポーネント・キャリア上のパスロスの正確な推定を不可能、または大変複雑にするであろうとしても、当てはまる。
【００９２】
推定モジュール１０３０は、ｅＮｏｄｅＢ１００２によって伝送された下りリンクチャネルにおけるＣＱＩ測定を使用して推定コンポーネント・キャリア上のパスロス推定を実行することができる。ＣＱＩは、推定コンポーネント・キャリアについて、ＵＥ１０２２のＰＣｅｌｌまたはＳＣｅｌｌを介してｅＮｏｄｅＢから伝送されることができる。さらに、ＣＱＩ測定は、上述されたもののいずれか１つ、そして／または、ＳＩＮＲ測定等の１つの信号品質情報を含み得る。ＣＱＩ測定はまた、１以上の参照信号受信電力（ＲＳＲＰ）測定、および／または、１以上の参照信号受信品質（ＲＳＲＱ）測定を含むことができる。ある実施形態において、推定モジュールは、推定コンポーネント・キャリアの下りリンクチャネル上の複数のＲＳＲＰ測定を平均することにより、推定コンポーネント・キャリア上のパスロス推定を実行する。そのような実施形態においては、推定コンポーネント・キャリアは、活性化タイプ１コンポーネント・キャリアであり得る。
【００９３】
推定モジュール１０３０は、ある実施形態において、ＵＥ１０２２のＰＣｅｌｌに関連付けられてもいる推定コンポーネント・キャリア上の複数の下りリンクＲＳＲＰ測定の平均値を加えることにより、推定コンポーネント・キャリアについてのパスロス推定を実行することができる。そのような実施形態において、パスロス推定はまた、ｅＮｏｄｅＢ１０２２から受信する、抽出モジュール１０３４との関連において以下に論じられる性質を有する、パスロス差パラメータを頼りにしている。
【００９４】
さらに、推定モジュール１０３０は、追加のパスロス推定を決定するために使用されることができる。推定モジュールは、推定コンポーネント・キャリアを参照してこれを行うことができる。推定モジュールは、推定コンポーネント・キャリアのパスロス推定に基づいて、コンポーネント・キャリア・リスト内の他のコンポーネント・キャリアについての上りリンク電力制御のために使用されるパスロス推定を決定することができる。
【００９５】
ある実施形態において、干渉モジュール１０２４もまた含まれることができる。干渉モジュールは、複数のコンポーネント・キャリアについての干渉インジケータメッセージを生成するように構成されることができる。干渉モジュールはまた、干渉インジケータメッセージを進化ノードＢ１００２に送信するように構成することができる。そのような実施形態において、受信モジュール１０２８はまた、コンポーネント・キャリア・リストにおける選択されたコンポーネント・キャリアのための干渉タグを受信することができる。選択されたコンポーネント・キャリアは、ｅＮｏｄｅＢによって、干渉インジケータメッセージに従った干渉タグを用いてラベル付けされることができる。
【００９６】
ある実施形態において、干渉タグは、与えられた／選択されたコンポーネント・キャリアは、タイプ１コンポーネント・キャリア・クラス、または、タイプ２コンポーネント・キャリア・クラスに属することを示すことができる。タイプ１コンポーネント・キャリア・クラスは、所定の閾値より低い対応する干渉レベルを有するコンポーネント・キャリアを含むと定義されることができる。逆に、タイプ２コンポーネント・キャリア・クラスは、所定の閾値より低くない、対応する干渉レベルを有するコンポーネント・キャリアを含むと定義されることができる。
【００９７】
ある実施形態において、ＵＥデバイス１０２０は、トリガーモジュール１０３２を含むことができる。トリガーモジュールは、ｅＮｏｄｅＢからメッセージを受信したときに、干渉インジケータメッセージを生成し送信するように、干渉モジュール１０２４にトリガーをかけることができる。トリガーモジュールはまた、あるいは別の方法では、新しいｅＮｏｄｅＢとのＲＡＣＨ通信の開始等の、ＵＥにおいて発生する事象に応答して、干渉インジケータメッセージの生成をトリガーすることができる。
【００９８】
ＵＥデバイス１０２０はまた、抽出モジュール１０３４を含むことができる。抽出モジュールは、受信モジュール１０２６によってｅＮｏｄｅＢから受信したパスロス差パラメータを抽出することができる。パスロス差パラメータは、第１のシナリオおよび第２のシナリオの少なくとも１つに対する２つのコンポーネント・キャリア間のパスロスの差、を提供する、そして／または、を計算するために使用される、ことができる。第１のシナリオによれば、２つのコンポーネント・キャリアの第１のコンポーネント・キャリアは第１の周波数バンド内で動作し、２つのコンポーネント・キャリアの第２のコンポーネント・キャリアは第２の周波数バンド内で動作する。第２のシナリオによれば、差は、与えられた伝搬環境を説明する。さらに別の実施形態においては、図１１のフローチャートにおいて描かれているように、上りリンク電力制御のための方法１１００が開示されている。
【００９９】
図１１は、ｅＮｏｄｅＢにおいて実装される電力制御のための方法１１００の一例を提供する。ブロック１１１０に示されるように、方法１１００はまた、進化ノードＢ（ｅＮｏｄｅＢ）において、複数のコンポーネント・キャリアのための伝送ノードの共通の地理的位置、および／または、その中で複数のコンポーネント・キャリアが通信するように構成された共通の周波数バンド、に基づいて複数のコンポーネント・キャリアをコンポーネント・キャリア・リストにグループ化するステップを含む。ブロック１１２０に示されるように、ｅＮｏｄｅＢは、一組の干渉タグを用いて、複数のコンポーネント・キャリアにラベル付けをして、複数の干渉タグを生成することができる。ｅＮｏｄｅＢは、ＵＥから受信した干渉インジケータメッセージにおける複数のコンポーネント・キャリアについての干渉情報から、干渉タグを生成することができる。ブロック１１３０に示されるように、ｅＮｏｄｅＢは次に、コンポーネント・キャリア・リストおよび複数の干渉タグをＵＥに伝送する。
【０１００】
ある実施形態において、ラベル付けするステップはさらに、上述の通り、複数のコンポーネント・キャリアにおける個々のコンポーネント・キャリアが、タイプ１コンポーネント・キャリア・クラスおよびタイプ２コンポーネント・キャリア・クラスの１つに属することを示すステップを含む。方法１１００のある実施形態はさらに、ｅＮｏｄｅＢからＵＥに推定パスロスオフセットパラメータを送信するステップを含む。推定パスロスオフセットパラメータは、２つのコンポーネント・キャリア上のそれぞれの通信の間のパスロス差を提供する。そのような実施形態において、パスロス差は、２つのコンポーネント・キャリアのそれぞれの通信についての周波数バンドにおける差から生じることができる。ある実施形態においては、パスロス差は、与えられた伝搬環境によって生じることができる。
【０１０１】
図１２は、ユーザ装置（ＵＥ）、移動局（ＭＳ）、移動無線デバイス、移動通信デバイス、タブレット、ハンドセット、または、他の種類の移動無線デバイス等の移動デバイスの例示を提供する。移動デバイスは、基地局（ＢＳ）、ｅＮｏｄｅＢ、または、他の種類の無線ワイドエリアネットワーク（ＷＷＡＮ）アクセスポイントと通信するように構成された１以上のアンテナを含むことができる。２つのアンテナが示されているが、移動デバイスは、１〜４またはそれ以上のアンテナを備えることができる。移動デバイスは、第３世代パートナーシッププロジェクトロングタームエボリューション（３ＧＰＰ  ＬＴＥ）、マイクロ波アクセスのためのワールドワイド相互運用性（ＷｉＭＡＸ）、高速パケットアクセス（ＨＳＰＡ）、ブルートゥース、ＷｉＦｉ、または、他のワイヤレス標準を含む少なくとも１つのワイヤレス通信規格を使用して通信するように構成されることができる。移動デバイスは、個々のワイヤレス通信規格のための個別のアンテナ、または、複数のワイヤレス通信規格のための共有アンテナを使用して通信することができる。移動デバイスは、ワイヤレスローカルエリアネットワーク（ＷＬＡＮ）、ワイヤレスパーソナルエリアネットワーク（ＷＰＡＮ）、および／または、ワイヤレスワイドエリアネットワーク（ＷＷＡＮ）において通信することができる。
【０１０２】
図１２はまた、移動デバイスからのオーディオ入出力のために使用されることができるマイクロフォンおよび１以上のスピーカの例示を提供する。ディスプレイ画面は液晶ディスプレイ（ＬＣＤ）画面、または、有機ＬＥＤ（ＯＬＥＤ）ディスプレイ等の他のタイプのディスプレイ画面であり得る。ディスプレイ画面は、タッチスクリーンとして構成されることができる。タッチスクリーンは、容量性、抵抗性、または別のタイプのタッチスクリーン技術を使用することができる。アプリケーションプロセッサおよびグラフィックプロセッサは、処理能力および表示能力を提供するために内部メモリと結合されることができる。不揮発性メモリポートもまた、データ入力／出力オプションをユーザに提供するために使用されることができる。不揮発性メモリポートはまた、移動デバイスの記憶能力を拡張するために使用されることができる。キーボードは、追加のユーザ入力を提供するために、移動デバイスと統合されることができ、または、ワイヤレスで移動デバイスに接続されることができる。タッチスクリーンを使用することにより仮想キーボードもまた提供されることができる。
【０１０３】
理解されるべきことは、本明細書に記載された機能ユニットの多くは、その実装の独立性を特に強調するために、モジュールとしてラベル付けされている。例えば、モジュールは、カスタムＶＬＳＩ回路、またはゲートアレイ、ロジックチップ、トランジスタ、または他のディスクリート部品等の既製の半導体を含むハードウェア回路として実装されることができる。モジュールはまた、フィールドプログラマブルゲートアレイ、プログラマブルアレイロジック、プログラマブルロジックデバイス等のプログラマブルハードウェアデバイスにおいて実装されることができる。
【０１０４】
モジュールはまた、さまざまなタイプのプロセッサによって実行されるためのソフトウェアにおいて実装されることができる。実行可能なコードの識別されるモジュールは、例えば、オブジェクト、手順、または機能として組織化されることができるコンピュータ命令の１以上の物理的または論理的ブロックを含むことができる。にもかかわらず、識別されるモジュールの実行可能形式は、物理的に一緒に置かれる必要はなく、論理的に一緒に結合されたときに、モジュールを含み、モジュールの明記された目的を達成する、異なる場所に格納された異なる命令を含むことができる。
【０１０５】
確かに、実行可能なコードのモジュールは、単一の命令、または多くの命令であり得、いくつかの異なるコードセグメント上に、異なるプログラムの間に、そして、いくつかのメモリデバイスにわたって、分散されることができる。同様に、運用データは、明細書において、モジュール内で識別および説明され、いかなる適切な形式において具体化され、いかなる適切なタイプのデータ構造内に組織化されることができる。運用データは、単一のデータ集合として集められることができ、または、異なる格納デバイスにわたることを含む異なる場所にわたって分散され得、少なくとも部分的に、システム上またはネットワーク上の単なる電気信号として存在し得る。モジュールは、受動的または能動的であり得、所望の機能を実行する操作可能なエージェントを含む。
【０１０６】
さまざまな技術、またはさまざまな技術のある側面または部分は、フロッピー（登録商標）ディスク、ＣＤ−ＲＯＭ、ハードドライブ、または、いかなる他の機械読取可能記憶媒体、等の有形の媒体内に具体化されたプログラムコード（すなわち命令）の形をとることができる。ここで、プログラムコードがロードされ、コンピュータ等の機械によって実行され、機械が、様々な技術を実行するための装置となる。プログラム可能なコンピュータ上でのプログラムコードの実行の場合、計算デバイスは、プロセッサ、プロセッサによって読取可能な記憶媒体（揮発性および不揮発性メモリ、および／または、記憶エレメントを含む）、少なくとも１つの入力デバイス、および、少なくとも１つの出力デバイスを含むことができる。本明細書で説明されたさまざまな技術を実装または利用することができる１以上のプログラムは、アプリケーションプログラミングインターフェイス（ＡＰＩ）、再利用可能コントロール、等を使用することができる。そのようなプログラムは、高レベルの手続的またはオブジェクト指向のプログラミング言語においてコンピュータシステムと通信するように実装されることができる。しかし、プログラムは、そのように望むなら、アセンブリーまたは機械言語で実装されることができる。いずれの場合においても、言語はコンパイル言語、またはインタープリター言語であり得、ハードウェア実装と組み合わされる。
【０１０７】
本明細書を通じて、「一実施形態」は、実施形態と関連して説明された特定の機能、構造または特徴が本発明の少なくとも１つの実施形態に含まれることを意味する。こうして、本明細書を通じて様々な場所に現れる「一実施例において」という語句は、必ずしもすべて同じ実施形態を参照するものではない。
【０１０８】
本明細書で使用されているように、複数の項目、構造的要素、組成要素、および／または、材料は、便宜上共通のリストにおいて示されることができる。しかし、これらのリストは、あたかも、リストの各メンバは個々に別々のそしてユニークなメンバとして識別されるように解釈されるべきである。こうして、そのようなリストのいかなる個別のメンバも、単に、共通のグループにおける同じでないという表示の無い表現のみに基づいて、同じリストの他のいかなるメンバとも事実上の同等と解釈されるべきではない。加えて、本発明のさまざまな実施形態および例は、それらのさまざまな構成要素のための代替物に沿って参照されることができる。理解されるべきは、そのような実施形態、例、および代替は、お互いの事実上の同等と解釈されるべきではなく、本発明の個別のおよび自主的な表現として考えられるべきである、ということである。
【０１０９】
さらに、説明された特徴、構造、または特性は、１以上の実施形態におけるいかなる適切な方法において組み合わされることができる。以下の説明において、発明の実施例の完全な理解を提供するために、材料、留め具、サイズ、長さ、幅、形、等の例等、多くの特定の詳細が提供される。しかし、本発明は、１以上の特定の詳細を用いなくても、または、他の方法、コンポーネント、材料、等を用いても、本発明は実施され得ることを当業者は認識するであろう。他の例では、本発明の側面を不明確にすることを避けるために、周知の構造、材料、または動作は示されていないか、または詳細に説明されていない。
【０１１０】
前述の例は、１以上の特定のアプリケーションにおける本発明の原理の例示であり、多くの実装の形式、利用および詳細における変更が、発明力を行使することなく、また、本発明の原理およびコンセプトから離れることなく、可能であることは、当業者にとって明らかである。それゆえ、以下に示される特許請求の範囲によって限定されることを除き、発明が限定されることを意図するものではない。
【図１ａ】
0005819540.tif 000002
【図１ｂ】
0005819540.tif 000003
【図２】
0005819540.tif 000004
【図３】
0005819540.tif 000005
【図４】
0005819540.tif 000006
【図５】
0005819540.tif 000007
【図６ａ】
0005819540.tif 000008
【図６ｂ】
0005819540.tif 000009
【図７ａ】
0005819540.tif 000010
【図７ｂ】
0005819540.tif 000011
【図８ａ】
0005819540.tif 000012
【図８ｂ】
0005819540.tif 000013
【図９】
0005819540.tif 000014
【図１０】
0005819540.tif 000015
【図１１】
0005819540.tif 000016
【図１２】
0005819540.tif 000017